(57)【要約】  【課題】バイオマスを利用して製造されるバイオ燃料の一種であるバイオディーゼル燃料の製造装置と、バイオディーゼル燃料の製造方法に関し、所望量のバイオディーゼル燃料を得るために、ほぼ同量の容積の反応槽を必要とすることもなく、反応槽を小型化することができ、反応物とアルカリ触媒の効率的な分離を実現でき、また、反応のための処理効率を著しく向上させることができるバイオディーゼル燃料の製造方法と製造装置を提供することを課題とする  【解決手段】油脂類とアルコール類とを固体アルカリ触媒の存在下でマイクロ波を照射して反応させるための反応槽と、該反応槽で生成する反応生成物と未反応のアルコール類を分離するための分離器とを具備し、前記油脂類とアルコール類との反応槽内での反応と、前記反応槽内で生成した反応生成物と未反応のアルコール類の分離器での分離とが連続的に行われるように構成されていることを特徴とする。【選択図】図２
2011046803.tif 000002
【特許請求の範囲】
【請求項１】
油脂類とアルコール類とを固体アルカリ触媒の存在下でマイクロ波を照射して反応させるための反応槽（４）と、該反応槽（４）で生成する反応生成物から未反応のアルコール類を分離するための分離器（５）とを具備し、前記油脂類とアルコール類との反応槽（４）内での反応と、前記反応槽（４）内で生成した反応生成物と未反応のアルコール類の分離器（５）での分離とが連続的に行われるように構成されていることを特徴とするバイオディーゼル燃料の製造装置。
【請求項２】
分離された未反応のアルコール類を反応槽（４）若しくはその前段側に返送する返送ライン（９）が、さらに具備されている請求項１記載のバイオディーゼル燃料の製造装置。
【請求項３】
反応生成物と未反応のアルコール類を、反応槽（４）から分離器（５）へ移送すべく、該反応槽（４）と分離器（５）間にサンフォン管（１２）が介装されている請求項１又は２記載のバイオディーゼル燃料の製造装置。
【請求項４】
反応槽（４）内の固体アルカリ触媒が分離器（５）側へ不用意に移送されるのを阻止すべく、濾過処理するためのフィルター（１６）が、前記反応槽（４）と分離器（５）間に設けられている請求項１乃至３のいずれかに記載のバイオディーゼル燃料の製造装置。
【請求項５】
分離器（５）内における反応生成物からの未反応のアルコール類の分離を、マイクロ波照射による加熱によって行うように構成されている請求項１乃至４のいずれかに記載のバイオディーゼル燃料の製造装置。
【請求項６】
油脂類とアルコール類とを、固体アルカリ触媒の存在下でマイクロ波を照射して反応槽（４）内で反応させ、次に、該反応槽（４）で生成する反応生成物から未反応のアルコール類を分離器（５）で分離し、前記油脂類とアルコール類との反応槽（４）内での反応と、該反応槽（４）内で生成した反応生成物と未反応のアルコール類の分離とを連続的に行うことを特徴とするバイオディーゼル燃料の製造方法。
【請求項７】
分離されたアルコール類を、返送ライン（９）を介して反応槽（４）若しくはその前段側に返送する請求項６記載のバイオディーゼル燃料の製造方法。
【請求項８】
分離器（５）内における反応生成物からの未反応のアルコール類の分離を、マイクロ波照射による加熱によって行う請求項６又は７記載のバイオディーゼル燃料の製造方法。
【発明の詳細な説明】
【技術分野】
【０００１】
本発明は、バイオマスを利用して製造されるバイオ燃料の一種であるバイオディーゼル燃料の製造装置と、バイオディーゼル燃料の製造方法に関するものである。
【背景技術】
【０００２】
石炭や石油などの化石燃料の大量消費によって発生する二酸化炭素が一因とされている地球温暖化問題、当該化石燃料の枯渇化問題等の対策を目的として、当該化石燃料を代替する燃料の利用への関心が、近年高まっている。
【０００３】
特に、バイオ燃料利用への関心が高まっている。バイオ燃料は、例えば植物のライフサイクルの中で、太陽エネルギーにより二酸化炭素と水から光合成された物質から得ることができる。当該バイオ燃料が燃焼して発生する二酸化炭素は、元来大気中に存在していたものを光合成によって植物体に取り入れたものであるため、それが燃焼によって大気中に放出されたとしても、地表圏上の二酸化炭素を増大させることがなく、カーボンニュートラルな燃料といわれている。
【０００４】
バイオ燃料としては、具体的には、バイオマスの嫌気性分解法などによって生成することができるバイオガス（主たる成分がメタン）、バイオマスを微生物によってアルコール発酵させることによって生成することができるバイオマスエタノール、油脂類を反応させて合成するバイオディーゼル燃料（ＢＤＦ）などが挙げられる。
【０００５】
これらの中で、バイオディーゼル燃料（ＢＤＦ）は、植物油などのバイオマスのトリグリセリドをエステル化して得られる、脂肪酸アルキルエステル組成を有する燃料である。植物油の多くは動粘度や引火点が高いために、このままでは自動車燃料として利用できない。そこで、油脂類の主成分であるトリグリセリドをアルコール等でエステル交換反応させて脂肪酸アルキルエステルとし、動粘度や引火点を低下させたものが利用できることとなる。
【０００６】
特にメチルエステル化した、脂肪酸メチルエステルが一般的であり、ディーゼルエンジンの燃料として重要な軽油を代替する燃料として期待されている。
【０００７】
このようなバイオディーゼル燃料の製造に関する技術として、従来では、たとえば下記特許文献１のような技術が特許出願されている。この特許文献１に係る発明は、当該特許文献１の請求項１にも記載されているように、「アルカリ触媒を使用し、原料油を低級アルコールでエステル交換反応して脂肪酸エステルを生成する工程を含むバイオディーゼル燃料の製造方法において、上記アルカリ触媒によってエステル交換反応された反応混合液に所定量の水で調節した希硫酸を加えて反応混合液を中和し、中和した反応混合液から硫酸塩結晶を濾別して、該濾液を蒸留し、比重分離操作により高比重のグリセリン成分を分離する工程を含むことを特徴とする」ものである。
【０００８】
しかし、この特許文献１のようなアルカリ触媒を使用するバイオディーゼル燃料の製造技術は反応に長時間を要し、かつ、大量に使用するアルカリ触媒の分離（希硫酸水溶液によるアルカリの中和処理とその際に発生する沈殿物のろ過）と、排水の処理が必要となる等の問題点がある。具体的には、反応に１〜８時間程度の時間を要し、アルカリの中和処理や排水処理等の後処理には、２日程度の時間を要していた。
【０００９】
そこで、このような問題点を解決するために、下記特許文献２のような特許出願がなされている。この特許文献２に係る発明は、当該特許文献２の請求項１にも記載されているように、「マイクロ波照射によって誘発される、植物油または動物油脂の、アルコールによるエステル交換／エステル化反応によるバイオディーゼルの生産法であって、脂肪酸モノアルキルエステルの生産が、植物油、動物油脂、または遊離脂肪酸の、アルコールによるエステル交換／エステル化によって実行され、かつ、反応は、活発に攪拌しながら、油／油脂／脂肪酸およびアルコール中における触媒の存在下に、反応腔においてマイクロ波加熱によって実行される」ことを特徴とするものである。
【００１０】
この特許文献２に係る発明によって、上記特許文献１のようなアルカリ触媒を使用するバイオディーゼル燃料の製造技術に比べると、反応時間が著しく短縮化されるという効果が奏される。
【００１１】
しかしながら、この特許文献２に記載された技術は、当該特許文献２の明細書の段落［０００９］にも記載されているように、腔（反応槽）がバッチで使用されるものであるので、所望量のバイオディーゼル燃料を得るためには、ほぼ同量の容積の反応槽が必要とされ、反応槽の内容積が大きくなる傾向があった。さらに、［００１０］にも記載されているように、未精製混合物を熱水で洗浄し、その後、５０℃で真空ポンプの力を借りて、水分が完全に除去されるまで水分を完全に減圧蒸留し、乾燥するという後処理が必要となっていた。また、反応のための処理効率も決して良好なものとはいえなかった。
【先行技術文献】
【特許文献】
【００１２】
【特許文献１】特開２００５−３５０６３０号公報
【特許文献２】特開２００７−２７７３７４号公報
【発明の概要】
【発明が解決しようとする課題】
【００１３】
本発明は、このような問題点を解決するためになされたもので、所望量のバイオディーゼル燃料を得るために、ほぼ同量の容積の反応槽を必要とすることもなく、反応槽を小型化することができ、反応物とアルカリ触媒の効率的な分離を実現でき、また、反応のための処理効率を著しく向上させることができるバイオディーゼル燃料の製造方法と製造装置を提供することを課題とする。
【課題を解決するための手段】
【００１４】
本発明は、このような課題を解決するために、油脂類とアルコール類とを固体アルカリ触媒の存在下でマイクロ波を照射して反応させるための反応槽と、該反応槽で生成する反応生成物と未反応のアルコール類を分離するための分離器とを具備し、前記油脂類とアルコール類との反応槽内での反応と、前記反応槽内で生成した反応生成物と未反応のアルコール類の分離器での分離とが連続的に行われるように構成されていることを特徴とするバイオディーゼル燃料の製造装置を提供するものである。
【００１５】
また、本発明は、油脂類とアルコール類とを、固体アルカリ触媒の存在下でマイクロ波を照射して反応槽内で反応させ、次に、該反応槽で生成する反応生成物から未反応のアルコール類を分離器で分離し、前記油脂類とアルコール類との反応槽内での反応と、該反応槽内で生成した反応生成物と未反応のアルコール類の分離とを連続的に行うことを特徴とするバイオディーゼル燃料の製造方法を提供するものである。
【００１６】
分離された未反応のアルコール類を反応槽若しくはその前段側に返送する返送ラインをさらに具備させることも可能である。さらに、反応生成物と未反応のアルコール類を、反応槽から分離器へ移送すべく、該反応槽と分離器間にサンフォン管を介装することも可能である。さらに、反応槽内の固体アルカリ触媒が分離器側へ不用意に移送されるのを阻止すべく、濾過処理するためのフィルターを、反応槽と分離器間に設けることも可能である。
【００１７】
さらに、分離器内における反応生成物からの未反応のアルコール類の分離を、マイクロ波照射による加熱によって行うように構成することも可能である。さらに、分離器内における反応生成物からの未反応のアルコール類の分離を、マイクロ波照射による加熱によって行うことも可能である。
【発明の効果】
【００１８】
本発明は、上述のように、油脂類とアルコール類とを固体アルカリ触媒存在下でマイクロ波照射処理するものであるため、油脂類とアルコール類との反応時間が著しく短縮化されるという効果がある。
また、反応の際に使用した固体アルカリ触媒は固体であるため、フィルター、ろ過膜等によるろ過処理によって液体状の反応生成物や未反応アルコール類と固体アルカリ触媒とを容易に分離することが可能となるために、別途、酸を用いた中和処理を実施する必要がない。その結果、中和時に生成する反応生成物の分離や排水など、後処理なども不要になるという効果がある。
【００１９】
さらに、反応槽内で生成した反応生成物と未反応のアルコール類の分離器での分離とを連続的に行うものであるため、移送速度に応じて反応槽内における反応生成物と未反応のアルコール類の滞留量を制御することが可能となり、反応槽の容積を小型化することができるという効果を生じる。
【００２０】
また、固体アルカリ触媒存在下で油脂類とアルコール類とを反応させた後、分離器内で脂肪酸アルキルエステル（バイオディーゼル燃料）とグリセリンとの混合物と、未反応アルコール類とに分離するので、油脂類とアルコール類との反応主生成物であるバイオディーゼル燃料と反応副生成物としてのグリセリンとの混合物から、未反応のアルコール類が効果的に分離されるため、後段におけるバイオディーゼル燃料の精製をより好適に行うことが可能となるという効果がある。
【００２１】
さらに、分離された未反応のアルコール類を反応槽若しくはその前段側に返送して再利用する場合には、アルコール類を繰り返して使用することができる。そのため、反応槽への油脂類とアルコール類との連続的な供給と再利用がより効率的に行われるという効果がある。
【図面の簡単な説明】
【００２２】
【図１】一実施形態としてのバイオディーゼル燃料の製造装置の概略ブロック図。
【図２】同製造装置における反応槽と分離器の部分を示す概略正面図。
【図３】他実施形態としてのバイオディーゼル燃料の製造装置の概略ブロック図。
【図４】他実施形態としてのバイオディーゼル燃料の製造装置の概略ブロック図。
【図５】他実施形態としてのバイオディーゼル燃料の製造装置の概略ブロック図。
【図６】他実施形態としてのバイオディーゼル燃料の製造装置の概略ブロック図。
【図７】他実施形態としてのバイオディーゼル燃料の製造装置の概略ブロック図。
【図８】他実施形態としてのバイオディーゼル燃料の製造装置の概略ブロック図。
【図９】他実施形態としてのバイオディーゼル燃料の製造装置の概略ブロック図。
【発明を実施するための形態】
【００２３】
以下、本発明の実施形態について説明する。
【００２４】
本発明のバイオディーゼル燃料の製造装置は、上述のように、油脂類とアルコール類とを固体アルカリ触媒の存在下でマイクロ波を照射して反応させるための反応槽と、該反応槽で生成する反応生成物から未反応のアルコール類を分離するための分離器とを具備し、前記油脂類とアルコール類との反応槽内での反応と、前記反応槽内で生成した反応生成物と未反応のアルコールの分離とが連続的に行われるように構成されてなるものである。
【００２５】
ここで、反応槽で生成する反応生成物には、目的物たるバイオディーゼル燃料の反応主生成物と、グリセリン等の反応副生成物が含まれる。
【００２６】
また本発明のバイオディーゼル燃料の製造方法は、上述のように、油脂類とアルコール類とを固体アルカリ触媒の存在下でマイクロ波を照射して反応槽内で反応させ、次に、該反応槽で生成する反応生成物と未反応のアルコール類を分離器で分離し、前記油脂類とアルコール類との反応槽内での反応と、該反応槽内で生成した反応生成物と未反応のアルコール類の分離とを連続的に行うものである。
【００２７】
油脂類としては、たとえばベニバナ油、桐油（シナアブラギリ，アブラギリなどの桐科植物種子から採取できる。）、ヒマワリ油、綿実油、トウモロコシ油、菜種油、大豆油、胡麻油、オリーブ油、ラッカセイ油、ヒマシ油、パーム油、カカオ油、ヤシ油、ナンヨウアブラギリ（ヤトロファ）、モリンガ等の植物油脂、或いは魚油、牛脂、豚油、鯨油等の動物油脂を使用することができる。
【００２８】
油脂類のうち、ベニバナ油、桐油、ヒマワリ油、綿実油、トウモロコシ油、菜種油、大豆油、胡麻油、オリーブ油、ラッカセイ油、ヒマシ油等の植物油脂、或いは魚油などは常温で液体であり、一方、パーム油、カカオ油、ヤシ油等の植物油脂、或いは牛脂、豚油、鯨油等の動物性油脂は常温で固体である。バイオディーゼル燃料製造の際には、常温で液体のものが取扱は容易であるという利点を有している。
【００２９】
さらに、ヒマワリ油、菜種油、大豆油、パーム油などは、世界的にも我が国においても生産量が多く入手が容易である。さらに、食糧としての利用を制限しないという観点からは、従来から食糧としては用いられない桐油、ヒマワリ油、綿実油、ヒマシ油、モリンガ油などを利用することができる。
【００３０】
これらの油脂としては、未使用のもの（バージン油）を使用できる他、使用された後に回収された使用済みの廃油を使用することも可能である。また、植物油脂については、各油の搾油原料である各種種子および果実の搾油粕から廃棄物利用として回収した油を使用することも可能である。
【００３１】
この油脂類に、エステル交換用のアルコールを混合する。アルコールの種類は特に限定されず、たとえばメタノール、エタノール、プロパノール等を使用することが可能であるが、マイクロ波を吸収し易いという利点を有する観点からは、メタノール、エタノール等の低級アルコールを使用することが好ましく、とりわけメタノールを使用することが好ましい。
【００３２】
要は、得られた脂肪酸アルキルエステルが、動粘度、引火点、セタン価などのディーゼル燃料としての規格を満足したものであればエステル交換用のアルコールは任意に選択することができるのである。
【００３３】
このような油脂類とアルコール類の混合比率も特に限定されないが、油脂１モルに対してアルコール類が６〜２４モル程度であることが好ましい。
【００３４】
さらに、油脂類とアルコール類とは、反応槽内で固体アルカリ触媒の存在下で反応させるが、その固体アルカリ触媒の種類も特に限定されるものではなく、たとえばカルシウムの酸化物又は水酸化物のようなものを使用することができる。また、粒状、粉状等、その性状は問うものではなく、要は固体のアルカリ触媒が用いられていればよいのである。
【００３５】
また、固体アルカリ触媒は、そのまま反応槽内に添加される他、たとえば多孔質状の支持体を反応槽の上下に配置し、その上下の支持体の間に多数の粒状の固体アルカリ触媒を充填することによって、反応槽内に収容することも可能である。その場合、反応槽としては、たとえば円筒状のものを使用することができ、全体として固定床式カラムのごとく構成される。このように反応槽を筒体形状にすると、プラグフローで処理することにより反応槽の形状をよりコンパクトに設計することが可能となる。
【００３６】
マイクロ波照射時間は特に限定されるものではないが、５分以下とすることが望ましい。長時間のマイクロ波照射を行った場合は、生成物が分解あるいは劣化するおそれがあるからである。また、照射するマイクロ波の強度は装置の出力によって制御することができるが、出力も特に限定されるものではない。たとえば１００〜１５００Ｗ程度の出力のマイクロ波を使用することができ、より好ましくは１００〜３００Ｗ程度の出力のマイクロ波を使用することができる。
【００３７】
なお、実用的に使用できるマイクロ波の周波数は電波法で決められている（ＩＭＳ周波数：９３３．９２ＭＨｚ，２．４５ＧＨｚ，５．８ＧＨｚ，２４．１２５ＧＨｚ）。本発明ではこれらのどの周波数のマイクロ波も使用することができる。より好ましくは、当該マイクロ波発生装置のコストや汎用性の観点から、２．４５ＧＨｚの周波数を利用することができる。
【００３８】
さらに、油脂類とアルコール類とを反応槽へ供給して反応させて反応主生成物の脂肪酸アルキルエステル（バイオディーゼル燃料）と反応副生成物のグリセリンとの混合物とし、続いて該混合物を分離器に移送し、該混合物から未反応のアルコール類を分離し、前記反応槽若しくはその前段側に返送して再利用することも可能である。
なお、分離器で反応生成物から未反応のアルコール類を分離する手段としては、各成分の沸点の差を利用して最も沸点の低いアルコール類を分離する蒸留による手段が主として採用されるが、このような反応生成物と未反応のアルコール類を分離する手段としては、蒸留以外の手段を採用することも可能である。
さらに該蒸留を行うためのマイクロ波加熱照射処理を行うことも可能である。
【００３９】
この場合、反応槽と分離器とは上下に配置することができ、たとえばサイフォン管を介して反応槽と分離器を接続することが可能である。このようなサイフォン管を介して接続することで、反応槽へ供給される油脂類とアルコール類とが、サイフォン管の頂部の高さよりも高い位置となるまでの間にマイクロ波が照射され、該油脂類とアルコール類とが反応して反応主生成物のバイオディーゼル燃料と、反応副生成物のグリセリンとになる。次に、油脂類とアルコール類との混合物がさらに供給されて反応槽内部の液体の全容量がサンフォン管の頂部を超えたときに、該反応槽内の混合液が前記サイフォン管を経て分離器へ移送されることとなる。
【００４０】
以下、本発明のより具体的な実施形態について、図面に従って説明する。
【００４１】
（実施形態１）
図１は、一実施形態としてのバイオディーゼル燃料の製造装置の概略ブロック図を示す。本実施形態のバイオディーゼル燃料の製造装置は、原液としての油脂類貯留槽１と、アルコール類貯留槽２と、ミキサー３と、反応槽４と、分離器５と、回収槽６とを具備して構成されている。
【００４２】
油脂類貯留槽１は、バイオディーゼル燃料の製造原料となる原液である油脂類を貯留するための槽である。この油脂類としては、たとえば、家庭や施設等で使用済みとなった菜種油（サラダオイル）のような廃油が用いられる。
【００４３】
アルコール類貯留槽２は、前記油脂類と反応させるためのアルコール類を貯留するための槽である。このアルコール類としては、たとえばメタノールのようなものが用いられる。
【００４４】
ミキサー３は、前記油脂類貯留槽１から供給される油脂類と、前記アルコール類貯留槽２から供給されるアルコール類とを混合するためのものである。このミキサー３としては、たとえばラインミキサーのような簡易な構成のものが用いられる。
【００４５】
反応槽４は、油脂類とアルコール類とのエステル交換反応を行うための槽である。この反応槽４へは、前記ミキサー３で混合された油脂類とアルコール類との混合液が供給されることとなる。予めミキサー３で混合された混合液が反応槽４へ供給されるので、反応槽４内には、攪拌機等の攪拌手段を特に設ける必要はない。なお、図１では図示していないが、反応槽４には、固体アルカリ触媒が収容されている。固体アルカリ触媒としては、たとえば、粒状あるいは粉末状の水酸化カルシウムのようなものが用いられる。
【００４６】
このような粒状あるいは粉末状の固体アルカリ触媒は、そのまま反応槽内に添加して収容されるが、これに限らず、たとえば多孔質状の支持体を反応槽の上下に配置し、その上下の支持体の間に多数の粒状の固体アルカリ触媒を充填することによって反応槽内に収容させることも可能である。
【００４７】
分離器５は、反応槽４へ供給された油脂類とアルコール類との反応によって生成した反応主生成物である脂肪酸アルキルエステル（バイオディーゼル燃料）と反応副生成物のグリセリンとの混合物から、未反応のアルコールを蒸留して分離するためのものである。図１においては、反応槽４と分離器５は前段及び後段に配置されて図示されているが、実際には、図２に示すような上下の位置関係に配置されている。すなわち、反応槽４が上側に配置され、分離器５が下側に配置されている。
【００４８】
そして、この反応槽４と分離器５とは、図１に示すようにケーシング７内に収納され、該ケーシング７にマイクロ波発振器８が設けられることで、マイクロ波が反応槽４及び分離器５内に照射されるように構成されている。なお、ケーシング７は、図１の矢印線で示すように、マイクロ波の反射率の高い素材である金属製のものが好ましく、反応槽４や分離器５は、該反応槽４及び分離器５内を通過する混合液にマイクロ波を到達させるために、マイクロ波の透過率の高い素材であるガラス製であることが好ましい。なお、ケーシング７、反応槽４、分離器５等のそれぞれの材質は前記マイクロ波の吸収特性を満たすことが条件であって、材質や形状を問うものではない。
【００４９】
分離器５で分離された未反応のアルコール類は、該分離器５から返送ライン９を介して反応槽４の上流側に配置されたミキサー３へ返送されるように構成されている。返送ライン９の途中部分においては、コンデンサー１０が設けられ、返送されるアルコール類は、該コンデンサー１０で凝縮されて液状化された状態でミキサー３へ返送される。
【００５０】
反応槽４と分離器５とは、図２に示すように筒部１１を介して接続されている。また反応槽４の底部４ａには、連結部分としてのサイフォン管１２が接続されている。より具体的には、サイフォン管１２の入口部１２ａが反応槽４の底部４ａに接続され、該サイフォン管１２の出口部１２ｂが、前記筒部１１を経て分離器５内に臨出するように設けられている。また反応槽４の底部４ａとサイフォン管１２の入口部１２ａとの境界部分にはフィルター１６が設けられている。
サイフォン管１２の頂部１２ｃの高さは、反応槽４の高さの範囲内に収まるように設定されており、該反応槽４へ供給される油脂類とアルコール類との混合液が、サイフォン管１２の頂部１２ｃの高さよりも高い位置となるような深さに反応槽４内で貯留されたときに、該反応槽４内の混合液が、前記フィルター１６を介して前記サイフォン管１２の入口部１２ａ及び頂部１２ｃを経て出口部１２ｂから分離器５へ供給されるように構成されている。
【００５１】
さらに、反応槽４には、前記油脂類とアルコール類との混合液の入口部分となる接続管１３が設けられている。また、分離器５には、返送ライン９への出口部分となる接続管１４と、回収槽６への出口部分となる接続管１５が設けられている。
【００５２】
回収槽６は、製造された反応主生成物であるバイオディーゼル燃料と反応副生成物であるグリセリンとの混合物を回収するための槽である。図１では図示はしていないが、当該バイオディーゼル燃料とグリセリンとは沈殿分離等の一般的な技術によって容易に分離することによってバイオディーゼル燃料を精製することができる。
【００５３】
次に、上記のような装置を用いて、バイオディーゼル燃料を製造する方法の実施形態について説明する。
【００５４】
先ず、油脂類貯留槽１から、バイオディーゼル燃料の製造原料となる原液である油脂類をミキサー３へ供給するとともに、アルコール類貯留槽２からアルコール類をミキサー３へ供給する。これらの油脂類やアルコール類の供給は、図１では図示しないが、たとえば、ポンプによって連続的に行われる。
【００５５】
そして、ミキサー３で油脂類とアルコール類が混合される。混合された油脂類とアルコール類との混合液は反応槽４へ供給され、反応槽４内で貯留される。このように混合液が反応槽４内で貯留される過程において、ケーシング７に設けられたマイクロ波発振器８を作動させ、マイクロ波による照射処理を行う。このようにマイクロ波発振器８を作動させることによって、混合液が反応槽４内で固体アルカリ触媒と接触して存在する時間内に、該混合液に対してマイクロ波が照射されることとなる。
【００５６】
このようにマイクロ波による照射処理が行われた状態で、反応槽４へ供給された油脂類とアルコール類は、該反応槽４内で反応し、油脂のアルコールエステルが得られる。本実施形態では、油脂として植物油である菜種油を用い、アルコールとしてメタノールを用いている。従って、菜種油の脂肪酸メチルエステルが生成されることとなる。
【００５７】
この場合において、マイクロ波による照射処理がなされているので、反応槽４内の菜種油とメタノールは、きわめて短時間に反応し、菜種油の主成分であるトリグリセリド（脂肪酸）のメチルエステルがすみやかに生成されることとなる。
【００５８】
そして、混合液が反応槽４内で所定の深さまで貯留されると、すなわち、サイフォン管１２の頂部１２ｃの高さよりも高い位置となるような深さまで混合液が反応槽４内で貯留されると、該反応槽４内の混合液は、フィルター１６を介してサイフォン管１２の入口部１２ａ及び頂部１２ｃを経て出口部１２ｂから分離器５へ供給されることとなる。この場合において、反応槽４の底部４ａとサイフォン管１２の入口部１２ａとの境界部分にはフィルター１６が設けられているため、反応槽４内に存在する固体アルカリ触媒は混合液に随伴してサイフォン管に不用意に移行することがない。なお、移行した混合液は、上記のように菜種油とメタノールとの反応によって得られた反応主生成物であるトリグリセリド（脂肪酸）のメチルエステルと、未反応のメタノールと、反応副生成物のグリセリンとからなる。
【００５９】
このようにして混合液は、上記のように分離器５へ供給され、未反応のメタノールが蒸留されて、脂肪酸メチルエステルと分離されることとなる。この場合、分離器５に対しては、マイクロ波による照射処理がなされる。この処理を行うことでメタノールがマイクロ波を吸収して急速に発熱し、メタノールの蒸留、及びメタノールと脂肪酸メチルエステルとの分離がきわめて短時間に行われることとなる。
【００６０】
この場合、分離器５と反応槽４の双方がケーシング７内に収容されており、そのケーシング７にマイクロ波発振器８が設けられているため、上記のように油脂類とアルコール類との混合液が反応槽４内に貯留されている間は、マイクロ波発振器８の作動により照射されるマイクロ波のエネルギーは、その反応槽４内での油脂類とアルコール類との反応の促進に利用され、上記のように混合液が反応槽４内で所定の深さまで貯留され、反応槽４内の混合液が、サイフォン管１２の入口部１２ａ及び頂部１２ｃを経て出口部１２ｂから分離器５へ供給された後は、マイクロ波のエネルギーは、分離器５内でのアルコール類の蒸留に利用されることとなる。
【００６１】
すなわち、ケーシング７に設けられたマイクロ波発振器８の作動により照射されるマイクロ波のエネルギーが、反応槽４内での油脂類とアルコール類との反応と、分離器５内でのアルコール類の蒸留との双方にその工程に応じて効果的に利用されるので、マイクロ波による処理が有効に活用されることとなるのである。
【００６２】
蒸留により分離されたメタノールは、分離器５から返送ライン９を介して反応槽４の上流側であるミキサー３へ返送される。この場合、返送ライン９の途中部分においては、上記のようにコンデンサー１０が設けられているので、返送されるアルコール類は、該コンデンサー１０で凝縮された状態で効率的にミキサー３へ返送されることとなる。これによって、返送されたメタノールは、油脂類貯留槽１から供給される原料としての植物油と混合し、再利用されることとなる。
【００６３】
一方、分離器５でメタノールと分離された生成物である脂肪酸メチルエステルは、回収槽６へ供給され、バイオディーゼル燃料として利用されることとなる。
【００６４】
本実施形態では、上述のように、バイオディーゼル燃料の製造原料となる原液である植物油とメタノールを、原液槽１からポンプによって連続的に反応槽４へ供給し、反応槽４においては、マイクロ波発振器８を作動させてマイクロ波による照射処理を行うことで、きわめて短時間に植物油中の脂肪酸とメタノールとを反応させて脂肪酸メチルエステルを生成させ、その反応主生成物である脂肪酸メチルエステルと反応副生成物であるグリセリンとの混合物と未反応のメタノールを分離器５へ供給し、該分離器５で蒸留を行って未反応のメタノールを分離し、続いて、分離された未反応のメタノールを反応槽４の前段側へ返送して再利用し、分離器５で分離された脂肪酸メチルエステルとグリセリンを回収槽６へ供給して精製した後、バイオディーゼル燃料に供するので、メタノールの連続的な再生が可能になるとともに、バイオディーゼル燃料の連続的な製造が可能となった。
【００６５】
また、以上のような連続的なバイオディーゼル燃料の製造が可能となることで、従来のバッチ式の反応槽を具備するバイオディーゼル燃料の製造装置のように、反応槽が大型化することがなく、小型の装置を提供することが可能となる。
【００６６】
（実施形態２）
図３は、他実施形態としてのバイオディーゼル燃料の製造装置の概略ブロック図を示す。本実施形態のバイオディーゼル燃料の製造装置は、ミキサー３が具備されておらず、この点でミキサー３が具備されていた前記実施形態１と相違している。
【００６７】
本実施形態においては、ミキサー３が具備されていないので、油脂類貯留槽１から油脂類が直接反応槽４へ供給され、またアルコール類貯留槽２からアルコール類が直接反応槽４へ供給されることとなる。
【００６８】
また、本実施形態ではミキサー３が具備されていないので、反応槽４内で油脂類とアルコール類とが攪拌されつつ混合されることになる。その攪拌の手段としては、たとえばマグネチックスターラーや攪拌機等の任意の攪拌手段を採用することができる。
【００６９】
さらに、ミキサー３が具備されていないので、分離器５で蒸留されて、生成物である脂肪酸メチルエステルから分離された未反応のメタノールは、反応槽４へ返送して再利用されることとなる。
【００７０】
本実施形態においても、上記実施形態１と同様にケーシング７は金属製であり、反応槽４や分離器５はガラス製とされている。油脂類貯留槽１、アルコール類貯留槽２、反応槽４、分離器５、回収槽６を具備している点や、それらの構成は、上記実施形態１と共通するため、その説明は省略する。
【００７１】
また、本実施形態においても、バイオディーゼル燃料の原料である植物油とメタノールを連続的に反応槽４へ供給し、反応槽４でマイクロ波による照射処理を行ってきわめて短時間に脂肪酸メチルエステルを生成させ、分離器５で蒸留を行って、脂肪酸メチルエステルから分離された未反応のメタノールを返送して再利用し、分離器５で分離された脂肪酸メチルエステルを回収槽６へ供給してバイオディーゼル燃料に供するので、メタノールの連続的な再生が可能になるとともに、バイオディーゼル燃料の連続的な製造が可能となる。また、連続的なバイオディーゼル燃料の製造が可能となることで、小型の装置を提供することが可能となる。
【００７２】
（実施形態３）
図４は、他実施形態としてのバイオディーゼル燃料の製造装置の概略ブロック図を示す。本実施形態のバイオディーゼル燃料の製造装置においては、反応槽４と分離器５を収納するケーシング７ａ、７ｂがそれぞれ別個に設けられ、それに応じてマイクロ波発振器８ａ、８ｂがそれぞれのケーシング７ａ、７ｂに設けられている。この点で、１つのケーシング７内に反応槽４と分離器５が収納されていた上記実施形態１、２と相違している。
【００７３】
従って、本実施形態では、反応槽４内での油脂類とアルコール類との反応の促進のためのマイクロ波照射と、分離器５内でのアルコール類の蒸留の促進のためのマイクロ波照射とが、それぞれのマイクロ波発振器８ａ、８ｂによって、それぞれのケーシング７ａ、７ｂ内で別々に行われることとなる。
【００７４】
本実施形態では、このように別々のマイクロ波発振器８ａ、８ｂによって別々のケーシング７ａ、７ｂ内で反応槽４と分離器５にマイクロ波照射を行うので、反応槽４内での油脂類とアルコール類との反応に必要な条件、及び分離器５内でのアルコール類の蒸留に必要な条件にそれぞれ応じて適宜、マイクロ波照射を行うことができる。
【００７５】
油脂類貯留槽１、アルコール類貯留槽２、ミキサー３、反応槽４、分離器５、回収槽６を具備している点や、それらの構成は、上記実施形態１と共通するため、その説明は省略する。
【００７６】
本実施形態においても、バイオディーゼル燃料の原料である植物油とメタノールを連続的に反応槽４へ供給し、反応槽４でマイクロ波による照射処理を行ってきわめて短時間に脂肪酸メチルエステルを生成させ、分離器５で蒸留を行って、脂肪酸メチルエステルから分離された未反応のメタノールを返送して再利用し、分離器５で分離された脂肪酸メチルエステルを回収槽６へ供給してバイオディーゼル燃料に供するので、メタノールの連続的な再生が可能になるとともに、バイオディーゼル燃料の連続的な製造が可能となる。また、連続的なバイオディーゼル燃料の製造が可能となることで、小型の装置を提供することが可能となる。
【００７７】
（実施形態４）
図５は、他実施形態としてのバイオディーゼル燃料の製造装置の概略ブロック図を示す。本実施形態のバイオディーゼル燃料の製造装置においても、上記実施形態３と同様に、反応槽４と分離器５を収納するケーシング７ａ、７ｂがそれぞれ別個に設けられ、それに応じてマイクロ波発振器８ａ、８ｂがそれぞれのケーシング７ａ、７ｂに設けられている。
【００７８】
また本実施形態では、上記実施形態２と同様にミキサー３が具備されておらず、油脂類貯留槽１から油脂類が直接反応槽４へ供給され、またアルコール類貯留槽２からアルコール類が直接反応槽４へ供給されることとなる。
【００７９】
油脂類貯留槽１、アルコール類貯留槽２、反応槽４、分離器５、回収槽６を具備している点や、それらの構成は、上記実施形態２と共通するため、その説明は省略する。
【００８０】
本実施形態においても、バイオディーゼル燃料の原料である植物油とメタノールを連続的に反応槽４へ供給し、反応槽４でマイクロ波による照射処理を行ってきわめて短時間に脂肪酸メチルエステルを生成させ、分離器５で蒸留を行って、脂肪酸メチルエステルから分離された未反応のメタノールを返送して再利用し、分離器５で分離された脂肪酸メチルエステルを回収槽６へ供給してバイオディーゼル燃料に供するので、メタノールの連続的な再生が可能になるとともに、バイオディーゼル燃料の連続的な製造が可能となる。また、連続的なバイオディーゼル燃料の製造が可能となることで、小型の装置を提供することが可能となる。
【００８１】
（実施形態５）
図６は、他実施形態としてのバイオディーゼル燃料の製造装置の概略ブロック図を示す。本実施形態のバイオディーゼル燃料の製造装置においては、反応槽４のみがケーシング７内に収納されており、分離器５はケーシング７内に収納されていない。この点で、反応槽４と分離器５の双方がケーシング７内に収納されている実施形態１と相違する。
【００８２】
反応槽４のみがケーシング７内に収納されているので、マイクロ波発振器８の作動によるマイクロ波照射は反応槽４のみに対してなされ、分離器５に対してはなされない。
【００８３】
油脂類貯留槽１、アルコール類貯留槽２、ミキサー３、反応槽４、分離器５、回収槽６を具備している点や、それらの構成は、上記実施形態１と共通するため、その説明は省略する。
【００８４】
（実施形態６）
図７は、他実施形態としてのバイオディーゼル燃料の製造装置の概略ブロック図を示す。本実施形態のバイオディーゼル燃料の製造装置においては、上記実施形態５と同様に反応槽４のみがケーシング７内に収納されており、分離器５はケーシング７内に収納されていない。また、上記実施形態２と同様にミキサー３が具備されておらず、油脂類貯留槽１から油脂類が直接反応槽４へ供給され、またアルコール類貯留槽２からアルコール類が直接反応槽４へ供給されることとなる。
【００８５】
油脂類貯留槽１、アルコール類貯留槽２、反応槽４、分離器５、回収槽６を具備している点や、それらの構成は、上記実施形態２と共通するため、その説明は省略する。
【００８６】
（実施形態７）
図８は、他実施形態としてのバイオディーゼル燃料の製造装置の概略ブロック図を示す。本実施形態のバイオディーゼル燃料の製造装置においては、ミキサー３、反応槽４、分離器５の３つがケーシング７内に収納されており、マイクロ波発振器８の作動によるマイクロ波照射が、ミキサー３、反応槽４、分離器５の３つに対してなされるように構成されている。
【００８７】
油脂類貯留槽１、アルコール類貯留槽２、ミキサー３、反応槽４、分離器５、回収槽６を具備している点や、それらの構成は、上記実施形態１と共通するため、その説明は省略する。
【００８８】
（実施形態８）
図９は、他実施形態としてのバイオディーゼル燃料の製造装置の概略ブロック図を示す。本実施形態のバイオディーゼル燃料の製造装置においては、ミキサー３と反応槽４が１つのケーシング７ａ内に収納されており、分離器５が別のケーシング７ｂ内に収納されている。
【００８９】
従って、本実施形態では、１方のケーシング７ａに設けられたマイクロ波発振器８ａの作動によるマイクロ波照射が、ミキサー３及び反応槽４に対してなされ、他方のケーシング７ｂに設けられたマイクロ波発振器８ｂの作動によるマイクロ波照射が、分離器５に対してなされるように構成されている。
【００９０】
油脂類貯留槽１、アルコール類貯留槽２、ミキサー３、反応槽４、分離器５、回収槽６を具備している点や、それらの構成は、上記実施形態１と共通するため、その説明は省略する。
【００９１】
（その他の実施形態）
なお、上記各実施形態では、原液としての油脂類を貯留する油脂類貯留槽１と、アルコール類を貯留するアルコール類貯留槽２を具備させたが、このような油脂類貯留槽１やアルコール類貯留槽２を具備させることは本発明に必須の条件ではなく、たとえば工場から排出される廃油等の油脂類を、直接ミキサー３或いは反応槽４等へ供給するようなことも可能である。
【００９２】
また、上記各実施形態では、油脂類とアルコール類とを反応槽へ供給した後、蒸留器でアルコール類を蒸留し、反応槽若しくはその前段側に返送して再利用したが、このようにアルコール類を返送して再利用することは、本発明に必須の条件ではない。要は、バイオディーゼル燃料とグリセリンと未反応のアルコール類との混合物から、効果的に未反応のアルコール類が分離されればよいのである。
【００９３】
さらに、上記実施形態の図２における反応槽４について、形状は図２に示されたものには限定されない。内部に固体アルカリ触媒を具備させうる形状のもので有ればよく、球状、カラム状、その他、種々の形状のものを用いることが可能である。また、反応槽４に設置されているフィルター１６の形状や材質なども限定されない。要は、固体アルカリ触媒が通過しない目開きのもので有ればよいのである。
さらに、上記各実施形態では、ケーシング７、７ａ、７ｂ内に反応槽４や分離器５が収容され、そのケーシング７、７ａ、７ｂに設けられていたマイクロ波発振器８、８ａ、８ｂの作動によりマイクロ波が反応槽４、分離器５の外部から反応槽４、分離器５を透過して反応槽４内の油脂類やアルコール類、或いは分離器５内のアルコール類等にマイクロ波が照射されるように構成したが、これに限らず、たとえば反応槽４や分離器５の外壁をケーシングと兼用する構成とし、その外壁（ケーシング）にマイクロ波発振器８、８ａ、８ｂを設けることも可能である。
上記各実施形態のように、ケーシング７、７ａ、７ｂ内に反応槽４や分離器５が収容される場合には、マイクロ波が外部から反応槽４、分離器５を透過するので、反応槽４や分離器５はマイクロ波の透過率の高い材料で構成する必要があるが、反応槽４や分離器５の外壁をケーシングと兼用する場合には、必ずしもマイクロ波の透過率の高い材料で反応槽４や分離器５を構成する必要はない。
【００９４】
さらに、上記各実施形態では、各成分の沸点の差を利用して最も沸点の低いアルコール類を分離する手段である蒸留を行う蒸留器を分離器５として用いる場合について説明したが、蒸留以外の分離手段を有する分離器５を用いることも可能である。
【実施例】
【００９５】
以下、本発明の実施例について説明する。
（実施例１乃至６）
本実施例は、上記図２のような装置を用いて、バイオディーゼル燃料を製造する製造方法の実施例である。本実施例では、分離器による蒸留を行って、分離したメタノールを反応槽の前段側に返送して連続的な製造を行った。
【００９６】
油脂類としては菜種油を用い、アルコール類としてはメタノールを用いた。固体アルカリ触媒としては消石灰（市販の純度６０％のもの）を用いた。反応槽内の反応温度は６０℃、マイクロ波の周波数は２．４５ＧＨｚとした。
【００９７】
実施例１乃至６における実験操作条件を表１に示す。すなわち、菜種油とメタノールの混合比率、消石灰の添加量、マイクロ波出力、菜種油とメタノールの混合液の供給速度、反応槽内における混合流体（混合液）の滞留時間の各条件を示している。
【００９８】
【表１】
2011046803.tif 000003
【００９９】
また試験結果を表２に示す。表２には、反応によって得られたバイオディーゼル燃料（油相中のメチルエステル）の収率（重量％）と、当該燃料における成分の組成（重量％）を示した。成分としては、リノレイン酸、リノレン酸、オレイン酸、ステアリン酸、パルミチン酸のそれぞれのメチルエステルが回収され、オレイン酸のメチルエステルが最も多く回収された。さらに、各実施例の結果を比較すると、処理条件毎に収率が変化したが、成分の組成は殆ど変化がないことが分かった。
【０１００】
【表２】
2011046803.tif 000004
【０１０１】
なお、他の条件を同じ条件とし、菜種油とメタノールの混合比率のみを変えた場合（実施例１，４，５）を比較すると、混合比率によらず、メチルエステルの収率および成分の組成は同様なものであることが分かった。さらに、マイクロ波出力を変えた場合（実施例１，４，６）を比較すると、出力によらず、メチルエステルの収率および成分の組成は同様なものであることも分かった。さらに、滞留時間による差を調べた場合（実施例１，２，３）を比較すると、滞留時間が長いほどメチルエステルの収率が高くなったが、成分の組成は同様なものであることも分かった。
【０１０２】
（実施例７乃至９）
本実施例は、上記図２のような装置を用いて、バイオディーゼル燃料を製造する製造方法の一実施例である。ただし本実施例では、反応槽としては上記図２のような形状の反応槽を用いず、槽内における流体の混合性を向上させた丸底フラスコ型反応槽を用いて連続的な製造を行った。
【０１０３】
油脂類としては菜種油を用い、アルコール類としてはメタノールを用いた。固体アルカリ触媒としては消石灰（市販の純度６０％のもの）を用いた。反応槽内の反応温度は６０℃、マイクロ波の周波数は２．４５ＧＨｚとした。
【０１０４】
実施例７乃至９における実験操作条件を表３に示す。すなわち、菜種油とメタノールの混合比率、消石灰の添加量、マイクロ波出力、菜種油とメタノールの混合液の供給速度、反応槽内における混合流体（混合液）の滞留時間の各条件を示している。
【０１０５】
【表３】
2011046803.tif 000005
【０１０６】
また試験結果を表４に示す。表４には、反応によって得られたバイオディーゼル燃料（油相中のメチルエステル）の収率（重量％）と、当該燃料における成分の組成（重量％）を示した。成分としては、リノレイン酸、リノレン酸、オレイン酸、ステアリン酸、パルミチン酸のそれぞれのメチルエステルが回収され、オレイン酸のメチルエステルが最も多く回収された。さらに、各実施例の結果を比較すると、滞留時間が長くなるほど収率が高くなるが、成分の組成は殆ど変化がないことが分かった。この傾向は実施例１乃至６のものと同様であった。
【０１０７】
【表４】
2011046803.tif 000006
【符号の説明】
【０１０８】
４  反応槽
５  分離器
【図１】
2011046803.tif 000007
【図２】
2011046803.tif 000008
【図３】
2011046803.tif 000009
【図４】
2011046803.tif 000010
【図５】
2011046803.tif 000011
【図６】
2011046803.tif 000012
【図７】
2011046803.tif 000013
【図８】
2011046803.tif 000014
【図９】
2011046803.tif 000015